(57)【要約】【課題】画像設定、及び音質設定の設定作業をより効率的に行うことを可能とした画像処理装置を提供する。【解決手段】複数種の画質を一度の操作で一括設定するために使用する画質モードを備え、ユーザが好みや視聴する番組の内容に応じて選択できるようになっている。また記録部が、関連テーブルを記録している。関連テーブルとは、画質モードと、音質設定部に対して音質設定を指示するための所定の音質設定値とを関連付けて記録したテーブルである。画質モードの指定による画質設定指示を制御部が受け付けると、画質設定部は画質モードに応じた各画質設定を行う。さらに設定指示部は、関連テーブルを読み出し、指定された画質モードに関連付けられている音質設定値を取得する。そして取得した音質設定値を音質設定部に与えることにより、音質設定を指示する。【選択図】図１
2009049808.tif 000002
【特許請求の範囲】
【請求項１】
画像信号の画質を設定する画質設定手段と、
音声信号の音質を設定する音質設定手段と、
複数の画質設定項目の画質設定値を一括して設定するための設定値グループの指定を受け付ける指示受付手段と、
を備えた画像処理装置において、
前記設定値グループと、前記音質設定手段に対して音質設定を指示するための所定の音質設定値とを関連付けた関連テーブルを記録する記録部と、
前記指示受付手段が前記設定値グループの指定による画質設定指示を受け付けた際に、前記関連テーブルより前記設定値グループに関連付けられている音質設定値を読み出し、読み出した前記音質設定値による音質設定を前記音質設定手段に対して指示する設定指示手段、
を備えたことを特徴とする画像処理装置。
【請求項２】
前記設定指示手段が、複数の画質設定項目を個別に設定する個別設定モードの実行指示を受け付けた際に、予め前記個別設定モードに関連付けられている音質設定値を前記記録部より読み出し、読み出した前記音質設定値による音質設定を前記音質設定手段に対して指示すること
を特徴とする請求項１に記載の画像処理装置。
【請求項３】
前記関連テーブルが、各画質設定値の増減に応じて変更すべき音質設定値の変更量を記録しており、
前記設定指示手段が、複数の画質設定項目を個別に設定する個別設定モードの実行指示を受け付け、画質設定値の変更が行われた際に、前記関連テーブルを用いて前記画質設定値の増減量に応じた音質設定値を算出し、算出値による音質設定を前記音質設定手段に対して指示すること
を特徴とする請求項１に記載の画像処理装置。
【請求項４】
前記関連テーブルの内容変更指示を受け付け、前記内容変更指示に基づいて前記関連テーブルに含まれている音質設定値の数値変更を行う関連テーブル編集手段を備えたこと
を特徴とする請求項１〜請求項３のいずれかに記載の画像処理装置。
【請求項５】
前記設定値グループが、画質設定項目として少なくともコントラスト、ブライトネス、及びシャープネスの項目を含んでいること
を特徴とする請求項１〜請求項４のいずれかに記載の画像処理装置。
【請求項６】
音質設定項目が、少なくとも低音成分設定、高音成分設定、及び擬似サラウンド効果の有効／無効設定の項目を含んでいること
を特徴とする請求項１〜請求項５のいずれかに記載の画像処理装置。
【発明の詳細な説明】
【技術分野】
【０００１】
本発明は、画像処理装置に関するものであり、特に画像信号の画質設定と音声信号の音質設定とをあわせて行うことができる画像処理装置に関する。
【背景技術】
【０００２】
近年、デジタル技術の多機能化、多様化により、ワイドテレビやハイビジョンテレビ等の様々な画像処理装置が普及している。これらの画像処理装置は、ブラウン管や液晶モニタ等の表示装置に画像を出力するが、この画像の画質、例えばコントラストやブライトネス等を予め設定する必要がある。また、音声の音質、例えばバス（＝低音成分）やトレブル（＝高音成分）を予め設定する必要がある。
【０００３】
これらの設定は通常、ＯＳＤ（＝On Screen Display）機能により表示される設定画面においてユーザ操作を受け付け、受け付けた操作に応じて設定される。しかしながら通常、画質の設定画面と音質の設定画面とは個別に分かれており、従ってユーザは画質と音質を個別に設定する必要があった。
【０００４】
上記に関連して特許文献１においては、４：３の通常画面及び１６：９のワイド画面等の表示モードを短時間に的確に切り換えることができるワイド画面テレビが開示されている。このワイド画面テレビは、入力された画像信号からアスペクト比の種別を検出し、検出する種別が所定期間継続することによりその画像に合った表示モードに切り換えて表示する。また音声信号のモード識別信号の切り換わりを検出する音声モード検出手段を備えており、音声モードの切り換わりの検出により表示モードを切り換えることができる。
【０００５】
また上記に関連して特許文献２においては、ユーザがチャンネルを変更する毎に設定しなければならない音声モードの設定の煩わしさを無くしたテレビジョン受像機が開示されている。このテレビジョン受像機は、ユーザの視聴形態に合わせたチャンネル毎の音声モードを自動判別して音声を出力する。このため、視聴者がチャンネルを変化させた場合にその都度音声モードを再設定する必要がなく、視聴者は音声モードの設定の煩わしさを感じることがない。
【特許文献１】特開２０００−２２８７５１号公報
【特許文献２】特開平８−９８１１１号公報
【発明の開示】
【発明が解決しようとする課題】
【０００６】
しかしながら、上記の特許文献１や特許文献２のテレビジョン受像機は、画像信号の種別やチャンネルの変化に応じて音声モードの切り換えを行うことはできるが、これらの変化が発生しない通常の視聴時における画質及び音質の設定は、従来と同様、予めユーザが手動で設定しておく必要があった。
【０００７】
本発明は、上記の問題を鑑みてなされたものであり、ユーザが予め装置に対して設定するコントラストやブライトネス等の画像設定、及びバスやトレブル等の音質設定の設定作業を、より効率的に行うことを可能とした画像処理装置を提供することを目的とする。
【課題を解決するための手段】
【０００８】
上記目的を達成するために本発明の画像処理装置は、画像信号の画質を設定する画質設定手段と、音声信号の音質を設定する音質設定手段と、複数の画質設定項目の画質設定値を一括して設定するための設定値グループの指定を受け付ける指示受付手段と、を備えた画像処理装置において、前記設定値グループと、前記音質設定手段に対して音質設定を指示するための所定の音質設定値とを関連付けた関連テーブルを記録する記録部と、前記指示受付手段が前記設定値グループの指定による画質設定指示を受け付けた際に、前記関連テーブルより前記設定値グループに関連付けられている音質設定値を読み出し、読み出した前記音質設定値による音質設定を前記音質設定手段に対して指示する設定指示手段を備えたことを特徴としている。
【０００９】
これによると、本発明の画像処理装置は、モニタ等に出力する画像信号の画質、例えばブライトネスやコントラスト等を設定する画質設定部（＝画質設定手段）と、音声信号の音質、例えばトレブルやバス等を設定する音質設定部（＝音質設定手段）とを備えている。また、複数種の画質を一度の操作で一括設定するために使用する画質モード（＝設定値グループ）を備えている。画質モードには例えば、「スタンダード」や「ムービー」等の複数モードが用意されており、ユーザが好みや視聴する番組の内容に応じて選択できるようになっている。
【００１０】
さらに画像処理装置の記録部が、関連テーブルを記録している。関連テーブルとは、画質モードと、音質設定部に対して音質設定を指示するための所定の音質設定値とを関連付けて記録したテーブルである。なお関連テーブルに記録されている音質設定項目としては例えば、トレブル（＝高音成分）やバス（＝低音成分）等が存在する。
【００１１】
画質モードの指定による画質設定指示を制御部が受け付けると、画質設定部は画質モードに応じた各画質設定を行う。さらに設定指示部（＝設定指示手段）は、関連テーブルを読み出し、指定された画質モードに関連付けられている音質設定値を取得する。そして取得した音質設定値を音質設定部に与えることにより、音質設定を指示する。このように、画質の設定を行うことにより、画質設定の内容に応じた音質設定もあわせて行われる。
【００１２】
また、上記目的を達成するために本発明の画像処理装置は、前記設定指示手段が、複数の画質設定項目を個別に設定する個別設定モードの実行指示を受け付けた際に、予め前記個別設定モードに関連付けられている音質設定値を前記記録部より読み出し、読み出した前記音質設定値による音質設定を前記音質設定手段に対して指示することを特徴としている。
【００１３】
これによると、本発明の画像処理装置は、設定指示部が、ブライトネスやコントラスト等の画質設定項目を個別にマニュアル設定する個別設定モードの実行指示を受け付けた際に、予め用意されている個別設定モード実行時用の音質設定値を記録部より読み出す。そして読み出した音質設定値を音質設定部に与えることにより、音質設定を指示する。このように、モード選択による画質設定だけではなく、マニュアル設定による画質設定を行う場合であっても、音質設定をあわせて行うことができる。
【００１４】
また、上記目的を達成するために本発明の画像処理装置は、前記関連テーブルが、各画質設定値の増減に応じて変更すべき音質設定値の変更量を記録しており、前記設定指示手段が、複数の画質設定項目を個別に設定する個別設定モードの実行指示を受け付け、画質設定値の変更が行われた際に、前記関連テーブルを用いて前記画質設定値の増減量に応じた音質設定値を算出し、算出値による音質設定を前記音質設定手段に対して指示することを特徴としている。
【００１５】
これによると、マニュアル設定による画質設定値の増減に応じて変更すべき音質設定値の値が予め定められて関連テーブルに記録されている。このため、画質の個別設定モードの実行指示を受け付けると、設定指示部は、指示された画質設定値の増減量に応じて設定すべき音質設定値を、関連テーブルを用いて算出する。そして算出値を音質設定部に与えることにより、音質設定を指示する。このように、マニュアル設定による画質設定を行う場合に、マニュアル設定の設定内容に応じた音質設定をあわせて行うことができる。
【００１６】
また、上記目的を達成するために本発明の画像処理装置は、前記関連テーブルの内容変更指示を受け付け、前記内容変更指示に基づいて前記関連テーブルに含まれている音質設定値の数値変更を行う関連テーブル編集手段を備えたことを特徴としている。
【００１７】
これによると、関連テーブルの内容変更指示を受け付ける関連テーブル編集部（＝関連テーブル編集手段）を備えている。関連テーブル編集部は、受け付けた内容変更指示に従い、関連テーブルにおいて画質モードやマニュアル設定に関連付けられている音質設定値の数値変更を行う。これにより、例えば画質モードに関連付けられている音質設定がその画質モードにそぐわないとユーザが感じた場合に、音質設定の変更を行うことができる。
【００１８】
また、上記目的を達成するために本発明の画像処理装置は、前記設定値グループが、画質設定項目として少なくともコントラスト、ブライトネス、及びシャープネスの項目を含んでいることを特徴としている。
【００１９】
これによると、画質モードは少なくともコントラスト、ブライトネス、及びシャープネスといった画質設定項目を含んでいる。従って画質モードを選択することにより、これらの画質を一括して設定することができる。
【００２０】
また、上記目的を達成するために本発明の画像処理装置は、音質設定項目が、少なくとも低音成分設定、高音成分設定、及び擬似サラウンド効果の有効／無効設定の項目を含んでいることを特徴としている。
【００２１】
これによると、画質モードやマニュアル設定に関連付けられている音質設定項目は、少なくともトレブルの設定、バスの設定、及び擬似サラウンド効果の有効／無効設定値を含んでいる。従って画質を設定することにより、これらの音質設定もあわせて一括設定することができる。
【発明の効果】
【００２２】
本発明によれば、画質モードの指定による画質の設定指示を受け付けた際に、記録部に記録されている関連テーブルを用いて、指定された画質モードに応じた音質設定を自動的に行う。このように、ユーザは画質設定を行うだけで画質及び音質の両方を一度に設定できるため、音質設定の手間を省くことができ、利便性が向上する。また、各画質モードに最適化された音質設定が予め関連テーブルに記録されているため、音質設定に不慣れなユーザであっても、適切な音質設定を行うことができる。
【００２３】
また本発明によれば、個別設定モードの実行指示を受け付けた際に、予め用意されている個別設定モード実行時用の音質設定値を記録部より読み出して音質設定を行う。このように、マニュアル設定による画質設定を行う場合であっても、ユーザは画質設定を行うだけで画質及び音質の両方を一度に設定できるため、音質設定の手間を省くことができ、利便性が向上する。
【００２４】
また本発明によれば、個別設定モードの実行指示を受け付けた際に、予め用意されている、画質設定値の増減に応じて変更すべき音質設定値の値を関連テーブルより読み出して音質設定を行う。このように、マニュアル設定による画質設定を行う場合であっても、ユーザは画質設定を行うだけで画質及び音質の両方を一度に設定できるため、音質設定の手間を省くことができ、利便性が向上する。
【００２５】
また本発明によれば、関連テーブル編集部に指示を与えることにより関連テーブルに記録されている音質設定値の数値変更を行うことが可能である。これにより、例えば画質モードに関連付けられている音質設定がその画質モードにそぐわない場合に、音質設定の修正を行うことができる。このため、工場出荷後のメンテナンス性が向上する。
【００２６】
また本発明によれば、コントラスト、ブライトネス、及びシャープネスといった画質設定項目を含んでいる。従ってこれらの画質と音質とを一括して設定することができるため、ユーザの利便性が向上する。
【００２７】
また本発明によれば、トレブルの設定、バスの設定、及び擬似サラウンド効果の有効／無効設定値を含んでいる。従ってこれらの音質を一括して設定することができるため、ユーザの利便性が向上する。
【発明を実施するための最良の形態】
【００２８】
以下に本発明の実施形態を、図面を参照しながら説明する。なお、ここで示す実施形態は一例であり、本発明はここに示す実施形態に限定されるものではない。
【００２９】
［実施の形態１］
〈１．内部構成について〉
図２は、本発明の一実施形態に係るテレビジョン装置１（＝画像処理装置）を示す構成図である。なお、図２における矢印線は画像データ及び音声データの流れを示している。また、矢印のない直線は、制御部１１が各装置に対する制御信号等を送受信するための通信バスを示している。テレビジョン装置１は少なくとも、制御部１１、メモリ１２、操作部１３、ＥＥＰＲＯＭ１４（＝記録部）、放送受信部１５、外部入力部１６、Ａ／Ｄ変換部１７、信号分離部１８、Ｄ／Ａ変換部１９、音声信号出力部２０、スピーカ２１、画像再生部２２、画像信号出力部２３、及びディスプレイ２４を含むように構成されている。
【００３０】
制御部１１は、テレビジョン装置１の各部材の駆動を制御することにより、テレビ放送の受信や、受信したテレビ放送の表示処理等を統括制御するためのものである。制御部１１は例えば、複数のマイクロプロセッサから構成されている。また制御部１１は、各装置の制御やデータの計算、加工処理等を行う中枢部分となっている。なお、制御部１１が備える各機能部（図１の画質設定部１１ａ〜設定指示部１１ｅ）の詳細については後述する。
【００３１】
メモリ１２は、テレビジョン装置１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３２】
操作部１３は、ユーザが番組の録画等を行うための各種指示をテレビジョン装置１に対して行うためのものである。操作部１３により出力された指示は、制御部１１により受け付けられる。指示を受け付けた制御部１１は、指示の内容に基づいて選局処理や設定変更処理等を行う。
【００３３】
ＥＥＰＲＯＭ１４は、半導体メモリの一種で、デバイスの利用者が書き込み、消去可能なＲＯＭである。フローティングゲートからドレインにトンネル効果を利用して電子を引き抜くことにより、電気的な操作のみで消去を行う。ＥＥＰＲＯＭ１４は回路基板に実装したままで書き込み、消去ができるため、利用時に書き換えが必要な用途、例えば機器の動作設定データや、利用者固有の情報を保存するのに用いられる。本発明では、後述する関連テーブルを記録するのに用いる。
【００３４】
放送受信部１５は、外部のアンテナ（不図示）に接続されてデジタル放送、或いはアナログ放送の選局、受信、周波数変換、増幅、復調等を行う。これにより受信した放送信号より、画像信号、或いは音声信号等が得られる。放送受信部１５は、アナログ方式であればアナログチューナ、画像中間周波増幅回路、復調回路、及び増幅回路等を含むように構成されている。またデジタル方式であれば、デジタルチューナ、誤り訂正部、多重分離部等を含むように構成されている。
【００３５】
外部入力部１６は、例えばコンポジット信号を入力するＲＣＡ入力端子やＳ信号を入力するＳ端子等の、複数の外部入力端子からなる入力インタフェースである。外部入力部１６はこれらの外部接続端子を用いて、テレビジョン装置１と外部の記録再生装置、例えばＤＶＤプレーヤやビデオレコーダ等を接続し、画像信号及び音声信号を入力する。
【００３６】
Ａ／Ｄ（Analog／Digital）変換部１７は、放送受信部１５及び外部入力部１６から入力された信号がコンポジット信号等のアナログ信号である場合に、デジタル信号に変換する。なお、入力された信号がデジタル信号である場合は変換を行わず、入力した信号をそのまま次の信号分離部１８に出力する。
【００３７】
信号分離部１８は、Ａ／Ｄ変換部１７より与えられたデジタル信号がＭＰＥＧ２方式等で符号化されている場合に、音声情報を含むデジタル信号と、画像情報を含むデジタル信号とに分離する。このうち音声情報を含むデジタル信号はＤ／Ａ変換部１９に送られてアナログ信号に変換され、音声信号出力部２０に与えられる。
【００３８】
音声信号出力部２０は、スピーカ２１を用いて、音声信号を音声に変換して出力する。なおこの際、音声信号出力部２０は制御部１１から受けた指示に基づいて出力音量の設定を行う。
【００３９】
また、信号分離部１８により分離された画像情報を含むデジタル信号は、画像再生部２２により復号化が行われ、画像信号出力部２３に与えられる。画像信号出力部２３は、与えられた画像信号をＮＴＳＣ方式等の画像信号に変換し、ディスプレイ２４を用いて表示する。なおこの際、画像信号出力部２３は、制御部１１から受けた指示に基づいて出力画像のブライトネスやシャープネス等の設定を行う。
【００４０】
ディスプレイ２４は、例えばバックライト、液晶パネル、及びドライバ等からなるＬＣＤ（Liquid Crystal Display）モジュールを用いる。バックライトは液晶パネルの裏側に配置されている発光装置である。バックライトは、例えば光源に冷陰極管を用いるエッジライト方式や、蛍光ランプを液晶パネルの背面に並べる直下型方式のものを用いる。このバックライトの光源の発光量は、バックライトアジャスタやインバータ回路により調整される。
【００４１】
〈２．機能部の構成について〉
ここで、本発明の一の実施形態に係るテレビジョン装置１が備える画質・音質設定機能を構成する各機能部の関係を、図１の機能ブロック図を用いながら説明する。
【００４２】
図１に示すように本発明の画質・音質設定機能は少なくとも、制御部１１が備える画質設定部１１ａ（＝画質設定手段）、音質設定部１１ｂ（＝音質設定手段）、指示受付部１１ｃ、関連テーブル編集部１１ｄ（＝関連テーブル編集手段）、及び設定指示部１１ｅ（＝設定指示手段）と、操作部１３と、ＥＥＰＲＯＭ１４と、音声信号出力部２０と、画像信号出力部２３とにより構成される。
【００４３】
画質設定部１１ａは、画像信号出力部２３に対して、画像信号出力部２３が出力する画像信号の画質を設定する。具体的には、画像信号出力部２３が出力する画像信号のブライトネス、コントラスト、シャープネス等の設定値を与える。また画像信号設定部は、複数の画質設定を一度に行うための画質モードを備えている。画質モードには、予め定められた複数の画質設定値、例えばブライトネスやコントラストが含まれている。ユーザが画質モードを選択すると、画質設定部１１ａは画質モードに含まれている各設定値を画像信号出力部２３に設定する。
【００４４】
音質設定部１１ｂは、音声信号出力部２０に対して、音声信号出力部２０が出力する音声信号の音質を設定する。具体的には、音声信号出力部２０が出力する音声信号のトレブル、バス、サラウンド効果等の設定値を与える。
【００４５】
指示受付部１１ｃは、ユーザが操作部１３を用いて行った画質設定操作、或いは音質設定操作により発行された設定指示を受け付ける。なおユーザは、画質設定操作及び音質設定操作を、図示しないＯＳＤ表示部により表示されるメニュー画面等を参照しながら行う。
【００４６】
関連テーブル編集部１１ｄは、ユーザが操作部１３を用いて行った関連テーブル編集操作により発行された編集指示を受け付ける。そして編集指示に基づいて、ＥＥＰＲＯＭ１４に記録されている関連テーブルの内容変更処理を行う。なお関連テーブルの詳細については後述する。
【００４７】
設定指示部１１ｅは、指示受付部１１ｃが画質の設定指示を受け付けた際に、ＥＥＰＲＯＭ１４より関連テーブルを読み出し、指示された画質設定に関連付けられている音質設定値を取得する。そして画質設定部１１ａに対しては受け付けた画質設定値による画質の設定を、音質設定部１１ｂに対しては関連テーブルから取得した音質設定値による音質の設定を指示する。
【００４８】
〈３．関連テーブルについて〉
ここで、本発明の一の実施形態に係るテレビジョン装置１が備える関連テーブルの一例を、図の関係を、図４及び図５のテーブル図を用いながら説明する。
【００４９】
図４は、指示受付部１１ｃが、画質モードの指定による画質設定指示（以下、「モード選択指示」という）を受けた際に用いられる関連テーブルである。また図５は、指示受付部１１ｃが、画質モードを用いずに各画質を個別にマニュアル設定する指示（以下、「マニュアル設定指示」という）を受けた際に用いられる関連テーブルである。
【００５０】
図４に示すように画質モード指定用の関連テーブルは、左から順に「画質モード」欄と「音質」欄との二つ欄から構成されている。さらに「音質」欄は、左から順に「トレブル」欄、「バス」欄、及び「サラウンド」欄の三つの欄に分割されている。
【００５１】
「画質モード」欄は、ユーザが画質を一括設定する際に指定する画質モードの種別を示した欄である。本実施形態では選択できる画質モードとして、スタンダード、ダイナミック、ムービー、及びニュースの四つが用意されている。
【００５２】
スタンダードは最も標準的な画質モードで、ブライトネスやコントラストの値がほぼ中間値となっている。ダイナミックは画面に迫力を持たせるためのもので、ブライトネスやコントラストの値が大きい。ムービーは映画館に近い画質を出すためのもので、ブライトネスやコントラストの値が小さい。ニュースは、植物や風景等の自然色をより忠実に再現するために調整された値である。ユーザは上記の画質モードを選択することにより、ブライトネスやコントラストを個別に設定することなく、各画質設定値を一度に設定することができる。
【００５３】
「音質」欄は、「画質モード」欄に示されている画質モードに対応する音質設定項目を示した欄である。本実施形態では音質設定項目の種別として、トレブル、バス、及びサラウンドの三つが用意されている。例えば画質モードとしてダイナミックが指定された場合、音質設定部１１ｂによりトレブルの値が５に、バスの値が５に、「サラウンド」（＝擬似サラウンド効果）がＯＦＦ、つまり無効に設定される。
【００５４】
また図５に示すようにマニュアル設定用の関連テーブルは、左から順に「画質」欄と「音質」欄との二つ欄から構成されている。さらに「音質」欄は、左から順に「トレブル」欄と「バス」欄との二つの欄に分割されている。
【００５５】
「画質」欄は、ユーザが画質のマニュアル設定を行う際に指定できる画質設定の種別を示した欄である。本実施形態では指定できる画質設定として、ブライトネス、コントラスト、色合い、ぼかし及びシャープネスの五つが用意されている。
【００５６】
「音質」欄は、「画質」欄に示されている画質設定の値に対応する音質設定値を示した欄である。本実施形態では音質設定値の種別として、トレブルとバスとの二つが用意されている。例えば「画質」欄がブライトネスである行のトレブルとバスの値は０．５となっている。これは、ブライトネスを１増加させると、トレブルとバスが０．５増加することを示している。また「画質」欄がコントラストである行のトレブルの値はヌル（＝値無し）、バスの値は０．５となっている。このため、コントラストを１増加させると、バスのみが０．５増加することを示している。なお、図５の例では、色合い及びぼかしは、全ての欄がヌルであるため、音質設定に影響を与えないようになっている。
【００５７】
具体的には例えば、ユーザによりマニュアル設定されたブライトネスの値が１０、コントラストの値が５、シャープネスの値が６であったとする。この場合、トレブルの値は、１０×０．５（ブライトネスに対応する値）と６×０．５（シャープネスに対応する値）を合計した８が算出値となる。またバスの値は、１０×０．５（ブライトネスに対応する値）と５×０．５（コントラストに対応する値）を合計した７．５が算出値となる。
【００５８】
なお、図４及び図５に示されている値は、本発明の範囲を逸脱しない範囲において適宜変更可能である。また、ユーザが操作部１３を用いて関連テーブル編集部１１ｄに対してテーブル編集指示を与えることにより、関連テーブル内の各値を変更することが可能である。
【００５９】
〈４．設定画面について〉
ここで、本発明の一の実施形態に係るテレビジョン装置１のＯＳＤ表示部（不図示）が生成してディスプレイ２４に表示する画質設定画面、及び音質設定画面の一例を、図６〜図９の画面図を用いながら説明する。
【００６０】
図６は、本発明の一実施形態に係るテレビジョン装置１が備える画質設定画面の一例である。なおこの画面は、操作部１３に含まれる画質設定ボタンが押下された場合や、ユーザ操作によりＯＳＤ表示されるメニュー画面等で画質設定が選択された場合等、任意のタイミングで表示することが可能である。図６に示すように画質設定画面は、少なくともタイトル表示領域５１、主操作領域５２、及び副操作領域５３を含むように構成されている。
【００６１】
タイトル表示領域５１は、現在表示されている画面のタイトル、この例では「画質設定画面」という文字列を表示する領域である。主操作領域５２は、ユーザが画質設定を行う場合における上位層の選択操作をするための領域である。本実施例では、画質設定を「モード選択」により行うか、或いは「マニュアル設定」により行うか等の選択を行えるようになっている。なおこの選択操作は、主操作領域５２内に表示されるカーソル５２ａを操作部１３により操作することにより行われる。図６に示す例では、カーソル５２ａによりモード選択が指定されており、副操作領域５３にモード選択のための複数の画質モードが表示されている。
【００６２】
副操作領域５３は、ユーザが画質設定を行う場合における下位層の選択操作をするための領域である。この例では、主操作領域５２において「モード選択」が選ばれているため、複数の画質モードのいずれを設定するかの選択を行えるようになっている。なおこの選択操作は、副操作領域５３内に表示されるカーソル５３ａを操作部１３により操作することにより行われる。
【００６３】
また図７は、図６と同様、本発明の一実施形態に係るテレビジョン装置１が備える画質設定画面の一例である。図６と異なる点として、カーソル５２ａによりマニュアル設定が指定されている。従って主操作領域５２にマニュアル設定を行うための複数の画質設定値が表示されている。なおこの状態においては副操作領域５３内にカーソル５３ａが表示されておらず、従ってモード選択による画質設定はできないようになっている。
【００６４】
カーソル５２ａによりマニュアル設定が指定されることにより、主操作領域５２にカーソル５２ｂが表示され、各画質の設定値をマニュアル設定できるようになる。図７に示す例では、シャープネスにカーソル５２ｂがあわせられているため、ユーザは操作部１３を操作することによりシャープネスの値を増減させることができる。
【００６５】
図８及び図９は、本発明の一実施形態に係るテレビジョン装置１が備える音質設定画面の一例である。なおこの画面は、操作部１３に含まれる音質設定ボタンが押下された場合や、ユーザ操作によりＯＳＤ表示されるメニュー画面等で音質設定が選択された場合等、任意のタイミングで表示することが可能である。図８及び図９に示すように音質設定画面は、少なくともタイトル表示領域５１、及び操作領域５４を含むように構成されている。
【００６６】
操作領域５４は、ユーザが音質設定を行う場合における選択操作をするための領域である。本実施例では、カーソル５４ａにより音質設定が指定されることにより、操作領域５４にカーソル５４ｂが表示され、各音質の設定値の変更を指示できるようになる。図８に示す例では、トレブルにカーソル５４ｂがあわせられているため、ユーザは操作部１３を操作することによりトレブルの値を増減させることができる。なお、図９については、画質設定値が図８と異なる以外は同一の構成であるため、ここでは説明を省略する。
【００６７】
〈５．画質・音質設定処理について〉
ここで、本発明の一実施形態に係るテレビジョン装置１による画質・音質設定処理を、図１及び図２のブロック図と、図３のフロー図と、図４及び図５のテーブル図と、図６〜図９の画面図とを用いながら説明する。
【００６８】
図３は、本発明の一実施形態に係る画質・音質設定処理の処理フローを示したフローチャートである。図３に示す本処理は、テレビジョン装置１による画質設定指示を制御部１１が検知することにより開始される。なお画質設定指示は、例えば操作部１３に含まれる画質設定ボタンが押下された場合等に発行される。
【００６９】
本処理が開始された後、制御部１１はステップＳ１１０において、ディスプレイ２４に画質設定画面を表示する。これにより、図６或いは図７に示す画質設定画面が表示される。次に指示受付部１１ｃはステップＳ１２０において、予め定められた所定時間以内に、操作部１３を用いた操作により発行される画質設定指示を受け付けたかどうかの判定を行う。
【００７０】
所定時間内に画質設定指示を受け付けなかった場合、制御部１１は画質設定画面の表示を停止して通常画面に遷移し、本処理を終了する。逆に画質設定指示が検知された場合、選択された画質設定方法が図６に示すモード選択方式であるか、或いは図７に示すマニュアル設定方式であるかの判定を行う。
【００７１】
マニュアル設定方式が選択された場合、指示受付部１１ｃは受け付けた設定指示を設定指示部１１ｅに与える。そして設定指示部１１ｅはステップＳ１４０において、受け付けた画質設定値を画質設定部１１ａに与えることにより、画像信号出力部２３への画質設定を行う。次に設定指示部１１ｅはステップＳ１５０において、ＥＥＰＲＯＭ１４より図５に示す関連テーブルを読み出し、指定された画質設定値に対応する音質設定値の算出を行う。
【００７２】
具体的には例えば、マニュアル設定により指定された画質設定値が、図７に示すようにブライトネスが１０、コントラストが５、色合いが２、ぼかしが２、シャープネスが６であったとする。この場合、図５の関連テーブルから、トレブルの値は、
１０（＝ブライトネスの値）×０．５＋６（＝シャープネスの値）×０．５＝８
となる。またバスの値は、
１０（＝ブライトネスの値）×０．５＋５（＝コントラストの値）×０．５＝７．５
となる。
【００７３】
次に設定指示部１１ｅはステップＳ１６０において、算出した音質設定値を音質設定部１１ｂに与えることにより、音声信号出力部２０への音質設定を行った後、本処理を終了する。これにより例えば、音質設定画面を表示した際に表示される音質設定値は、図９に示す状態、すなわちトレブル＝８、バス＝７．５、サラウンド＝ＯＦＦとなる。
【００７４】
ステップＳ１３０に再び戻って説明すると、ステップＳ１３０においてモード選択方式が選択された場合、指示受付部１１ｃは受け付けた画質モードを設定指示部１１ｅに与える。そして設定指示部１１ｅはステップＳ１３１において、受け付けた画質モードに基づく画質設定値を画質設定部１１ａに与えることにより、画像信号出力部２３への画質設定を行う。
【００７５】
次に設定指示部１１ｅはステップＳ１３２において、ＥＥＰＲＯＭ１４より図４に示す関連テーブルを読み出し、指定された画質モードに対応する音質設定値の取得を行う。例えば図６に示すように画質モードとしてダイナミックが選択された場合、関連テーブルよりトレブル＝５、バス＝５、サラウンド＝ＯＦＦの値が取得される。
【００７６】
次に設定指示部１１ｅはステップＳ１６０において、算出した音質設定値を音質設定部１１ｂに与えることにより、音声信号出力部２０への音質設定を行った後、本処理を終了する。これにより例えば、音質設定画面を表示した際に表示される音質設定値は、図８に示す状態、すなわちトレブル＝５、バス＝５、サラウンド＝ＯＦＦとなる。
【００７７】
なお、ステップＳ１６０で設定された音質設定値は、設定後に音質設定画面によりユーザが随時変更可能であることが望ましい。また、本発明の画質・音質設定処理の後に音質設定値を変更したとしても、画質設定には影響を及ぼさない。ただし画質設定が再度行われた場合は、ユーザ設定された音質設定値は消去され、設定された画質設定に対応する音質設定値が再び設定される。
【００７８】
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００７９】
従って本発明は、以下の形態にも適用可能である。
（Ａ）本実施形態では、関連テーブル編集部により関連テーブルの作成及び変更がユーザにより可能となっているが、工場出荷時にパスワード等を用いた書き換え禁止処理を施すことにより、パスワードを知らない一般ユーザによる変更を行えないようにする形態であってもよい。これにより、関連テーブルの設定が好ましくない状態に変更されてしまうのを防止することができる。
【００８０】
（Ｂ）本実施形態では、画質設定に対応した音質の自動設定を行っているが、音質設定に対応した画質の自動設定を行う形態でもよい。この場合、予め装置内に「スタンダード音質」や「ダイナミック音質」等の音質モードを用意する。そして各音質モードに対応する画質設定値（＝ブライトネス、コントラストなどの値）を定めた関連テーブルを作成して記録する。これによりユーザは、音質設定モードを指定することにより、画質設定もあわせて行うことができるため、利便性が向上する。
【００８１】
（Ｃ）本実施形態では、画像処理装置の一例としてテレビジョン装置１を例に挙げているが、これ以外の画像処理装置を用いて本発明を実施する形態でもよい。例えば、ＢＤプレーヤ、ＶＣＲ（Video Cassette Recorder）、ＤＶＤ／ＨＤＤ複合機、デジタルチューナ等を用いる形態であってもよい。
【００８２】
（Ｄ）本実施形態では、画質・音質設定処理に関わる各種機能部が、マイクロプロセッサ等の演算処理装置上でプログラムを実行することにより実現されているが、各種機能部が複数の回路により実現される形態でもよい。
【００８３】
（Ｅ）本実施形態では、画質・音質設定処理のための各機能部がテレビジョン装置１の内部に備わっている構成を例として説明したが、これらの一部或いは全部がネットワークを介して接続された外部装置により実現される形態であってもよい。例えば関連テーブルがＥＥＰＲＯＭ１４ではなくネットワーク上のサーバ等に存在し、複数のテレビジョン装置１が参照する形態であってもよい。これによれば、関連テーブルの内容変更を一括で行うことができる。
【００８４】
（Ｆ）本実施形態では、画質モード応じて自動設定された音質設定値を設定後にユーザ変更可能としているが、自動設定された音質設定値に対してユーザが手動変更を行うことを許可／不許可のどちらにするかをユーザが任意に設定できる形態であってもよい。
【００８５】
（Ｇ）本実施形態では、画質モードの種別としてスタンダード、ダイナミック等の四種類を例に挙げて説明しているが、これら以外の画質モードを装置に備え、音質設定値を関連付ける形態でもよい。また或いは、ユーザが任意に画質モードの作成及び音質設定値の関連付けを行える形態であってもよい。
【図面の簡単な説明】
【００８６】
【図１】は、本発明の画像処理装置が備える機能部の構成を示す機能ブロック図である。
【図２】は、本発明の画像処理装置の内部構成を示す構成図である。
【図３】は、本発明の画質・音質設定処理の処理フローを示したフロー図である。
【図４】は、本発明の関連テーブルの一例を示したテーブル図である。
【図５】は、本発明の関連テーブルの一例を示したテーブル図である。
【図６】は、本発明の画質設定画面の一例を示した画面図である。
【図７】は、本発明の画質設定画面の一例を示した画面図である。
【図８】は、本発明の音質設定画面の一例を示した画面図である。
【図９】は、本発明の音質設定画面の一例を示した画面図である。
【符号の説明】
【００８７】
１      テレビジョン装置（画像処理装置）
１１    制御部
１１ａ  画質設定部（画質設定手段）
１１ｂ  音質設定部（音質設定手段）
１１ｄ  関連テーブル編集部（関連テーブル編集手段）
１１ｅ  設定指示部（設定指示手段）
１４    ＥＥＰＲＯＭ（記録部）
【図１】
2009049808.tif 000003
【図２】
2009049808.tif 000004
【図３】
2009049808.tif 000005
【図４】
2009049808.tif 000006
【図５】
2009049808.tif 000007
【図６】
2009049808.tif 000008
【図７】
2009049808.tif 000009
【図８】
2009049808.tif 000010
【図９】
2009049808.tif 000011